(57)【特許請求の範囲】
【請求項１】
転動するコインの転動通路に、転動するコインの厚み方向に進退自在となるように支持され進出することによりコインの下端を支承するコインレールと、このコインレールを進退させる駆動手段と、転動するコインの上端側に設けられ疑似コインを前記コインレール方向に押し下げるコイン選別部材とを備え、前記コインレールを、コインを支承するコイン支承部材と前記駆動手段によって駆動される被駆動部材とに分割し、これらコイン支承部材と被駆動部材とを付勢手段によって連結し、前記コイン支承部材を前記付勢手段の付勢力に抗して退避させるコイン返却操作部材を設けたことを特徴とするコイン処理装置。
【請求項２】
請求項１記載のコイン処理装置において、コインの転動通路を開閉するフラッパを備え、このフラッパが前記コイン返却操作部材を操作することによって開くことを特徴とするコイン処理装置。
【発明の詳細な説明】
【０００１】
【発明の属する技術分野】
本発明は、スロットマシンや弾球遊技機等の遊技機または自動販売機等に用いられるコイン（硬貨に限らず、メダル、トークン等の遊技媒体を含む）のコイン処理装置に関し、特に、コイン詰まり等のコインを返却するコイン返却装置に関する。
【０００２】
【従来の技術】
一般に、この種のコイン処理装置には、コイン投入口から投入されたコインを選別する選別装置と、この選別装置で正規コインと選別されたコインを収納するコイン収納部と、未収納の正規コインまたは疑似コインをコイン返却部に返却するコイン返却装置とが備えられている。このうち、コイン返却装置においては、返却ボタンを手動操作すると、この返却ボタンに連動してコイン転動通路を開閉自在となるように覆っているフラッパを開き、フラッパの支承を解除することにより、未収納の正規コインまたは疑似コインをコイン返却部に返却していた。
【０００３】
【発明が解決しようとする課題】
しかしながら、上述した従来のコイン処理装置においては、コインを返却するのに、単にフラッパを開きフラッパの支承を解除することのみによりコインを返却する構造であった。このため、フラッパが開いてもコインの下端がコインレールに支承されたままの構造であるため、フラッパの開き速度が遅い場合には、コインが返却されずに誤収納するおそれがあった。
【０００４】
本発明は上記した従来の問題に鑑みなされたものであり、その目的とするところは、確実にコインを返却するコイン処理装置を提供することにある。
【０００５】
【課題を解決するための手段】
この目的を達成するために、請求項１に係る発明は、転動するコインの転動通路に、転動するコインの厚み方向に進退自在となるように支持され進出することによりコインの下端を支承するコインレールと、このコインレールを進退させる駆動手段と、転動するコインの上端側に設けられ疑似コインを前記コインレール方向に押し下げるコイン選別部材とを備え、前記コインレールを、コインを支承するコイン支承部材と前記駆動手段によって駆動される被駆動部材とに分割し、これらコイン支承部材と被駆動部材とを付勢手段によって連結し、前記コイン支承部材を前記付勢手段の付勢力に抗して退避させるコイン返却操作部材を設けたものである。
したがって、コイン返却操作部材を操作すると、コイン支承部材がコインの転動通路から退避するので、コイン支承部材によるコインの支承が解除されコインが落下する。
【０００６】
また、請求項２に係る発明は、請求項１に係る発明において、コインの転動通路を開閉するフラッパを備え、このフラッパが前記コイン返却操作部材を操作することによって開く。
したがって、コイン返却操作部材を操作することによって、コインに対するフラッパの支承が解除されコインが落下する。
【０００７】
【発明の実施の形態】
以下、本発明の実施の形態を図を用いて説明する。図１（ａ）は本発明に係るコイン処理装置の正面図、同図（ｂ）はフラッパを取り除いた状態を示す。図２は同じくコイン処理装置の背面図、図３は図１（ａ）におけるIII-III 線断面図であって、同図（ａ）はコインを収納している状態を示し、同図（ｂ）はコインを返却している状態を示す。図４は図１（ａ）におけるIV-IV 線断面図であって、同図（ａ）はコインを収納している状態を示し、同図（ｂ）はコインを返却している状態を示す。図５は図１（ａ）におけるV-V 線断面図であって、同図（ａ）はコインを収納している状態を示し、同図（ｂ）はコインを返却している状態を示す。
【０００８】
図６は図１（ａ）におけるIII-III 線断面図であって、同図（ａ）は直径の大きい疑似コインを選別している状態を示し、同図（ｂ）は厚みの大きい疑似コインを選別している状態を示す。図７は図１（ａ）におけるVII-VII 線断面図であって、直径の小さい疑似コインを選別している状態を示す。図８（ａ）はコイン選別装置を模式的に示す正面図、同図（ｂ）は断面図である。図９は直径の大きい疑似コインを選別している状態を示し、同図（ａ）はコイン選別装置を模式的に示す正面図、同図（ｂ）は断面図である。図１０は厚みの大きい疑似コインを選別している状態を示し、同図（ａ）はコイン選別装置を模式的に示す正面図、同図（ｂ）は断面図である。
【０００９】
図１において、全体を符号１で示すコイン処理装置は、略平板状で正方形に形成され立設されたベース板２と、このベース板２の表面を開閉自在に覆うフラッパ３と、疑似コインを選別するコイン選別装置４と、図２に示すコイン収納装置５とコイン返却装置６と、コイン転動通路７とから概略構成されている。図１（ｂ）において、ベース板２はプラスチックによって形成され、左右端部に側板１１，１２が突設され、上部左方側には上下方向に延在する一対の対向するガイド凸条１３，１４が一体に形成され、これらガイド凸条１３，１４とフラッパ３とによって、コイン投入口１５と、後述する正規コイン２８Ａの厚みよりもやや大きい間隔を有するコイン落下通路１６が形成されている。
【００１０】
コイン投入口１５に備えられた図示を省略したコイン投入口部材にはゲージは設けられておらず、このコイン投入口部材の開口の長さは正規コイン２８Ａの直径よりも充分大きく形成され、かつ幅は正規コイン２８Ａの厚みよりも充分大きく形成されている。ベース板２の上部右方側には、一対の対向する軸支承部１７，１７が突設され、同図（ａ）に示すように、これら軸支承部１７，１７には軸１８が嵌挿され、この軸１８を介してフラッパ３がベース板２の表面が開閉自在となるように揺動自在に支持されている。
【００１１】
フラッパ３は軸１８に巻回されたねじりコイルばね１９によって常時ベース板２の表面を閉じる方向に付勢され、ベース板２の窓２０から進退自在な後述する押出部材７２を紙面手前側に押し出すことによって、ねじりコイルばね１９の回転モーメントに抗して開くように構成されている。同図（ａ）において、フラッパ３には、図中右方側に上下方向に延在し後述する選別凹部２３の終端部に対応した位置に位置付けられた窓２１と、図中左方側に斜めに傾斜した平行な一対の窓２２ａ，２２ｂとが穿設されている。
【００１２】
同図（ｂ）において、２３はベース板２の表面に設けられた小径疑似コイン２８Ｂ３の倒れ込み用の空間としての選別凹部であって、正面視略台形状に形成されている。この選別凹部２３の図中左端部が前記コイン落下通路１６の下端と連通され、右端側が前記側板１２の下端部に切欠き形成したコイン収納口２４に向かって図中右下がりに傾斜している。２４ａは収納センサであって、後述するコイン支承部材４２上を転動しコイン収納口２４から収納されたコインを検知する。ベース板２の中央の左方側には、上下方向に細長く延在するスリット状に形成された窓２５が設けられている。同図（ａ）において、フラッパ３の下端部には左右方向に延在する細長い切欠き２６が設けられ、この切欠き２６と後述するコイン支承部材４２の上端面との間にはコイン落下窓２６ａが設けられている。図３に示すように、ベース板２の選別凹部２３の下方の表面には、コイン支承部材４２を収納する収納凹部２７が設けられている。
【００１３】
次に、コイン選別装置４について説明する。
図１（ａ）において、コイン選別装置４は、小径の疑似コイン２８Ｂ３を返却させるための押圧レバー３０と、コイン２８の外径と厚みを選別する選別部材としてのゲージ部材３５と、転動するコイン２８の下端を支承するコインレール４０と、コイン２８が誤って収納されるのを阻止する阻止レバー５５とから概略構成されている。
【００１４】
次に、図１（ａ）および図７を用いて押圧レバー３０について説明する。
押圧レバー３０は、フラッパ３に立設された一対の軸支承部３１，３１に横架された軸３２に一端が回動自在に支持され、ベース板２の選別凹部２３の入口部に対応して設けられている。この押圧レバー３０の他端側には、二股状に形成された一対の押圧部３０ａ，３０ｂが設けられ、これら押圧部３０ａ，３０ｂは、ねじりコイルばね３３のねじりモーメントによって押圧レバー３０が軸３２を回動中心として回動付勢されることにより、フラッパ３の窓２２ａ，２２ｂから選別凹部２３内に進出している。
【００１５】
次に、図１および図８を用いてゲージ部材３５について説明する。
ゲージ部材３５は選別凹部２３の上端縁で選別凹部２３の左右の長手方向の略中央に対応するようにフラッパ３の裏面側に設けられている。図８（ｂ）に示すように、このゲージ部材３５は断面が逆Ｌ字状を呈し、ベース板２から離間した側、すなわちフラッパ３側に図中下方に突設した凸条体３６が一体に突設され、この凸条体３６とベース板２との間にゲージ溝３７が形成されている。このゲージ溝３７の幅Ｂは、正規コイン２８Ａの厚みよりも僅かに大きく形成され、ゲージ溝３７の上端と後述するコイン支承部材４２の上端面との間の間隔Ｄは正規コイン２８Ａの直径よりも僅かに大きく形成されている。同図（ａ）に示すように、凸条体３６の転動するコインの上流側の端部３６ａが、上流側に向かって漸次高くなるように湾曲状に切り欠かれ切欠部３６ａが形成されている。
【００１６】
次に、図１および図３を用いてコインレール４０について説明する。
図１においてコインレール４０は、後述するソレノイド６０の駆動によって揺動する略箱状に形成された被駆動部材４１と、平板状に形成されたコイン支承部材４２とに分割されている。被駆動部材４１はベース板２に互いに対向するように立設された一対の軸支承部４３，４３に横架された軸４４に揺動自在に支持され、図３（ｂ）に示すように、ベース板２との間に懸架された引張りコイルばね４５の引張力によって、軸４４を回動中心として図中時計方向に付勢されている。この被駆動部材４１の上端には、コイン支承部材４２に当接する当接部４１ａが設けられ、下端にはベース板２に突設されたストッパ２ａに係合してこの被駆動部材４１の反時計方向の回動を規制する係合部４１ｂが設けられている。また、この被駆動部材４１のベース板２側には、ベース板２の小孔（図示せず）からベース板２の背面側に露呈する突設部４６が設けられている。
【００１７】
図３に示すように、コイン支承部材４２は、軸４８を介して被駆動部材４１に、当接部４１ａと収納凹部２７との間を図中時計および反時計方向に揺動自在に支持され、被駆動部材４１間に懸架された引張りコイルばね４９の引張力によって図中反時計方向に付勢され、被駆動部材４１の当接部４１ａに当接している。図１（ｂ）に示すように、このコイン支承部材４２の上端面は、選別凹部２３の下端面と平行でこの下端面よりやや低い位置に位置付けられ、この上端面の厚みは正規コイン２８Ａの厚みよりもやや大きく形成されている。
【００１８】
図３（ａ）は、後述する収納レバー６５の押圧により前記被駆動部材４１が引張りコイルばね４５の引張力に抗して軸４４を回動中心として反時計方向に回動した状態を示している。この状態において、コイン支承部材４２は引張りコイルばね４９の引張力によって軸４８を回動中心として図中反時計方向に回動することにより、収納凹部２７からコイン転動通路７内に進出し、転動するコイン２８の下端を支承する状態になる。また、同図（ｂ）は収納レバー６５の押圧を解除した状態を示し、この状態では、被駆動部材４１が引張りコイルばね４５の引張力により軸４４を回動中心として時計方向に回動する。この状態においては、コイン支承部材４２は引張りコイルばね４９を介して被駆動部材４１と一体的に軸４８を回動中心として図中時計方向に回動することにより、コイン転動通路７から退避し収納凹部２７内に収納される。
【００１９】
図８に示すように、コイン転動通路７内に進出したコイン支承部材４２の上端面と、前記選別凹部２３の上端２３ａとの間隔ｄは、正規コイン２８Ａの直径よりも僅かに小さく形成されている。また、コイン支承部材４２のベース板２側には、ベース板２の小孔（図示せず）からベース板２の背面側に突設された被係合片５０が一体に形成され、この被係合片５０の先端には上方に立設する被係合部５０ａが設けられている。図１（ｂ）に示すように、コイン支承部材４２の下方には、コイン返却口（図示せず）に連通するコイン返却軌道５３が設けられている。
【００２０】
次に、図５を用いて阻止レバー５５について説明する。
図５に示すように、阻止レバー５５は側面視逆Ｌ字状に形成され、下端に阻止部５５ａが突設され、上部略中央が軸５６を介してベース板２に回動自在に支持されている。この阻止レバー５５は、ベース板２の窓２５およびフラッパ３の窓２１からフラッパ３の外側に露呈し、後述するソレノイド６０の駆動・非駆動により軸５６を揺動中心として揺動し、同図（ａ）、（ｂ）に示すように、阻止部５５ａがコイン転動通路７に進退する。
【００２１】
次に、図２、図３、図５を用いてコイン収納装置５について説明する。
図２において、コイン収納装置５は、ベース板２の背面側に固定されたソレノイド６０と、ベース板２の背面側に軸６６を介して揺動自在に支持され上下方向に延在する収納レバー６５とから概略構成されている。ソレノイド６０には、非駆動状態において圧縮コイルばね６２の弾発力によって前進する方向に付勢されたプランジャー６１が備えられ、このプランジャー６１に設けられた貫通孔には、図中水平方向に延在する駆動軸６３が枢支されている。
【００２２】
収納レバー６５の下端には、前記被駆動部材４１の突設部４６に対応して押圧部６５ａが折曲形成され、上端部に設けられた長孔内には前記駆動軸６３の一端が係入され、この駆動軸６３の他端は前記阻止レバー５５に設けられた長孔内に係入している。このように構成されていることにより、図５（ａ）に示すように、ソレノイド６０が駆動しプランジャー６１が後退すると、駆動軸６３を介して収納レバー６５が軸６６を回動中心として図中時計方向に回動し、押圧部６５ａが被駆動部材４１の突設部４６を押圧する。
【００２３】
同時に、駆動軸６３を介して阻止レバー５５が軸５６を回動中心として図中時計方向に回動し、阻止部５５ａがコイン転動通路７から退避する。一方、同図（ｂ）に示すように、ソレノイド６０が非駆動状態になると、プランジャー６１は圧縮コイルばね６２の弾発力によって前進するので、駆動軸６３を介して収納レバー６０が軸６６を回動中心として図中反時計方向に回動し、突設部４６の押圧が解除する。同時に、阻止レバー５５が軸５６を回動中心として図中反時計方向に回動するので、阻止部５５ａがコイン転動通路７内に進出する。
【００２４】
次に、図２および図４を用いてコイン返却装置６について説明する。
図２に示すように、コイン返却装置６は、上述した収納レバー６５と同じ軸６６を介して揺動自在に支持され上下に延在する返却レバー７０と、この返却レバー７０を回動するコイン返却操作ボタン７２とから概略構成されている。図４に示すように、返却レバー７０の上端部がクランク状に折曲形成され、コイン返却操作ボタン７２の係合突起７２ｂと係合する被係合部７０ａが設けられ、下端部がクランク状に折曲形成され、コイン支承部材４２の被係合片５０の被係合部５０ａと係合する係合部７０ｂが設けられている。
【００２５】
コイン返却操作ボタン７２はベース板２の窓２０に図中左右方向に摺動自在に支持され、正面側にフラッパ３を押圧する押圧突起７２ａが突設されている。このように構成されていることにより、図４（ｂ）に示すように、コイン返却操作ボタン７２を図中左方向に押圧操作することにより、コイン返却操作ボタン７２の係合突起７２ｂが返却レバー７０の被係合部７０ａに係合し、返却レバー７０が軸６６を回動中心として図中反時計方向に回動する。
【００２６】
返却レバー７０の係合部７０ｂがコイン支承部材４２の被係合片５０の被係合部５０ａと係合し、コイン支承部材４２が軸４８（図３参照）を回動中心として図中時計方向に回動するので、コイン支承部材４２がコイン転動通路７から退避して収納凹部２７内に収納される。さらに、コイン返却操作ボタン７２を図中左方向に押圧操作すると、コイン支承部材４２の押圧突起７２ａがフラッパ３を図中左方向に押圧するので、フラッパ３が軸１８（図１（ａ）参照）を回動中心としてねじりコイルばね１９のねじりモーメントに抗して図４（ｂ）中時計方向に回動するので、フラッパ３がベース板２から離間しコイン転動通路７を開く。
【００２７】
次に、このような構成のコイン処理装置におけるコイン選別動作を説明する。あらかじめ、図５（ａ）に示すように、ソレノイド６０が駆動し、プランジャー６１が圧縮コイルばね６２の弾発力に抗して後退するので、収納レバー６５が軸６６を回動中心として図中時計方向に回動し、押圧部６５ａがコイン支承部材４２の突設部４６を押圧する。図３（ａ）に示すように、被駆動部材４１が引張りコイルばね４５の引張力に抗して、係合部４１ｂがストッパ２ａに係合するまで図中反時計方向に回動する。したがって、引張りコイルばね４９を介してコイン支承部材４２が軸４８を回動中心として一体的に反時計方向に回動するので、コイン支承部４２がコイン転動通路７内に進出する。また、図４（ａ）に示すように、コイン返却操作ボタン７２は押圧操作がされてなく、フラッパ３はコイン転動通路７を覆うようにして閉じている。
【００２８】
このような状態としてから、図１（ｂ）において、コイン２８が図示を省略したコイン投入口部材から投入されると、コイン２８はコイン投入口１５からコイン落下通路１６を落下し、コイン支承部材４２上に導かれてコイン支承部材４２上を転動する。ここで、投入されたコイン２８が正規コイン２８Ａの場合には、図８（ｂ）に示すように、正規コイン２８Ａの直径が間隔ｄより大きく、かつ間隔Ｄより小さく、しかも厚みがＢよりも小さいので、ゲージ部材３５に当接することなく、ゲージ部材３５を通過する。上述したようにあらかじめ、図５（ａ）に示すように、阻止レバー５５の阻止部５５ａがコイン転動通路７から退避しているので、正規コイン２８Ａはコイン収納口２４からコイン収納部（図示せず）に収納される。
【００２９】
収納センサ２４ａによって収納された正規コイン２８Ａの枚数を検知し、所定枚数の収納を検知したら、図５（ｂ）に示すように、ソレノイド６０の駆動を解除する。収納レバー６５が軸６６を回動中心として図中反時計方向に回動するので、押圧部６５ａによる被駆動部材４１の突設部４６の押圧が解除され、図３（ｂ）に示すように、被駆動部材４１が引張りコイルばね４５の引張力によって軸４４を回動中心として図中時計方向に回動する。コイン支承部材４２は、被駆動部材４１間に懸架された引張りコイルばね４９の引張力によって、被駆動部材４１の当接部４１ａに当接しているので、当接部４１ａに押圧されるようにして、軸４８を回動中心として図中時計方向に回動し、収納凹部２７内に収納される。
【００３０】
同時に、図５（ｂ）に示すように、阻止レバー５５が軸５６を回動中心として図中反時計方向に回動するので、阻止部５５ａがコイン転動通路７内に進出する。したがって、コイン投入口１５から投入された後続のコインは、コイン支承部材４２がコイン転動通路７から退避していることにより、図１（ｂ）において、コイン返却軌道５３に落下する。このとき、コイン転動通路７内に進出した阻止レバー５５の阻止部５５ａによって、後続のコインがコイン収納口２４に誤って収納されるのを規制されるので、確実にコインを返却することができる。
【００３１】
次に、正規コインよりも直径の大きい疑似コイン２８Ｂ１を選別する動作を説明する。
上述した正規コイン２８Ａの場合と同様に、図５（ａ）に示すように、ソレノイド６０が駆動し、収納レバー６５の押圧部６５ａがコイン支承部材４２の突設部４６を押圧し、コイン支承部材４２がコイン転動通路７内に進出している。この状態で、直径の大きい疑似コイン２８Ｂ１がコイン投入口１５から投入されると、この疑似コイン２８Ｂ１はコイン落下通路１６を落下し、コイン支承部材４２上を転動する。
【００３２】
図９に示すように、疑似コイン２８Ｂ１はゲージ部材３５のゲージ溝３７内に嵌入するが、疑似コイン２８Ｂ１の直径がこのゲージ溝３７の上端とコイン支承部材４２の上端との間隔Ｄよりも大きく形成されているので、疑似コイン２８Ｂ１の上端はこのゲージ溝３７に当接し、下端がコイン支承部材４２側に押し下げられた状態になる。このとき、コイン支承部材４２は被駆動部材４１の当接部４１ａによって図中反時計方向に回動するのを規制されている。したがって、コイン支承部材４２が被駆動部材４１間に懸架された引張りコイルばね４９の引張力に抗して軸４８を回動中心として図中時計方向に回動して収納凹部２７に収納されるので、コイン転動通路７から退避する。このため、コイン支承部材４２の支承が解除された疑似コイン２８Ｂ１は、下方に落下しコイン返却軌道５３に導かれる。
【００３３】
次に、正規コインよりも厚みの大きい疑似コイン２８Ｂ２を選別する動作を説明する。
上述した正規コイン２８Ａの場合と同様に、図５（ａ）に示すように、ソレノイド６０が駆動し、収納レバー６５の押圧部６５ａがコイン支承部材４２の突設部４６を押圧し、コイン支承部材４２がコイン転動通路７内に進出している。この状態で、厚みの大きい疑似コイン２８Ｂ２がコイン投入口１５から投入されると、この疑似コイン２８Ｂ２はコイン落下通路１６を落下し、コイン支承部材４２上を転動する。
【００３４】
図１０に示すように、疑似コイン２８Ｂ２の厚みがゲージ部材３５のゲージ溝３７の幅Ｂよりも大きく形成されているので、疑似コイン２８Ｂ２の上端部はゲージ部材３５のゲージ溝３７内に嵌入することができずに、疑似コイン２８Ｂ２の上端がこの凸条体３６の下端に係合する。このため、疑似コイン２８Ｂ２がゲージ部材３５によって下方に押し下げられるので、疑似コイン２８Ｂ２の下端がコイン支承部材４２を下方に押圧する。コイン支承部材４２は被駆動部材４１の当接部４１ａによって図中反時計方向に回動するのを規制されている。
【００３５】
したがって、コイン支承部材４２が被駆動部材４１間に懸架された引張りコイルばね４９の引張力に抗して軸４８を回動中心として図中時計方向に回動して収納凹部２７に収納されるので、コイン転動通路７から退避する。このため、コイン支承部材４２の支承が解除された疑似コイン２８Ｂ２は、下方に落下しコイン返却軌道５３に導かれる。ここで、ゲージ部材３５の凸条体３６のコイン２８が転動する転動方向の上流側端部に湾曲形成された切欠き３６ａが設けられていることにより、厚みの大きい疑似コイン２８Ｂ２は凸条体３６に円滑に係合するので、コイン詰まりが防止される。
【００３６】
このように、コイン選別装置４において、外径の大きい疑似コイン２８Ｂ１と厚みの大きい疑似コイン２８Ｂ２を選別するようにしたことにより、上述したように、コイン投入口１５に備えられるコイン投入口部材の開口の外形を正規コイン２８Ａの外形よりも充分大きく形成することができる。このため、コインの投入が容易になり利用者の使い勝手が向上し、特に連続投入を必要とする遊技機等においては、コイン投入口に投入し損じたコインを落下させ紛失するのを防止できる。
【００３７】
また、コイン支承部材４２がコイン転動通路７から退避することで、外径の大きい疑似コイン２８Ｂ１および厚みの大きい疑似コイン２８Ｂ２の返却と、正規コイン２８Ａの返却とを行うことができるというように、同じ箇所でこれらのコインの返却を行うことができる。このため、装置が小型化されるというだけではなく、部材も共用化され構造が簡素化される。
【００３８】
次に、正規コイン２８Ａよりも直径が小さい疑似コイン２８Ｂ３を選別する動作を説明する。
この場合にも、上述した正規コイン２８Ａの場合と同様に、図５（ａ）に示すように、ソレノイド６０が駆動し、収納レバー６５の押圧部６５ａがコイン支承部材４２の突設部４６を押圧し、コイン支承部材４２がコイン転動通路７内に進出している。この状態で、直径の小さい疑似コイン２８Ｂ３がコイン投入口１５から投入されると、この疑似コイン２８Ｂ３はコイン落下通路１６を落下し、コイン支承部材４２上を転動する。
【００３９】
図７に示すように、コイン支承部材４２上を転動する疑似コイン２８Ｂ３の直径は、コイン支承部材４２の上端と選別凹部２３の上端２３ａとの間隔ｄよりも小さく形成されていることにより、選別凹部２３の上端２３ａによる疑似コイン２８Ｂ３の上端の支承が解除される。したがって、疑似コイン２８Ｂ３が選別凹部２３内を図中時計方向に倒れ込むので、コイン支承部材４１による疑似コイン２８Ｂ３の下端の支承が解除され、疑似コイン２８Ｂ３はコイン落下窓２６ａから落下しコイン返却軌道５３に導かれる。
【００４０】
このとき、押圧レバー３０の押圧部３０ａ，３０ｂが、ねじりコイルばね３３のねじりモーメントによって、フラッパ３の窓２２ａ，２２ｂから選別凹部２３内に進出していることにより、この押圧レバー３０によって疑似コイン２８Ｂ３が選別凹部２３側に付勢されている。このため、疑似コイン２８Ｂ３が確実に選別凹部２３内に倒れ込むので、疑似コイン２８Ｂ３が確実に選別される。このように、多種類の疑似コイン２８Ｂ１，２８Ｂ２，２８Ｂ３の選別と正規コイン２８Ａの返却を同一箇所で行うことができるので、装置が小型化されるというだけではなく、部材も共用化され構造が簡素化される。
【００４１】
次に、コイン詰まりが発生したときのコインの返却動作を説明する。
図４（ａ）に示すように、ソレノイド６０が駆動し収納レバー６５を介してコイン支承部材４２がコイン転動通路７内に進出しているコイン選別動作中に、コイン選別装置４内でコイン詰まりが発生すると、所定枚数の正規コインが収納されないので、収納センサ２４ａでは異常を検知する。すなわち、図示を省略した検知手段によって図１（ｂ）において、コイン投入口１５から投入されたコインの数が、コイン返却軌道５３に返却されたコインの数と収納センサ２４ａで検知されたコインの数との合計が合致しない場合には、コイン詰まりが発生していると判断して異常の警報を発する。
【００４２】
図４（ｂ）に示すように、利用者または装置の管理者が、図示を省略したボタンを押圧操作すると、コイン返却操作ボタン７２が図中左方に移動するので、係合突起７２ｂが返却レバー７０の被係合部７０ａに係合し、返却レバー７０が軸６６を回動中心として図中反時計方向に回動する。返却レバー７０の係合部７０ｂがコイン支承部材４２の被係合片５０の被係合部５０ａと係合し、被係合部５０ａを図中右方に引っ張る。
【００４３】
このとき、コイン支承部材４２が被駆動部材４１と分割され、被駆動部材４１と引張りコイルばね４９を介して連結されているので、コイン支承部材４２は引張りコイルばね４９の引張力に抗して、被駆動部材４１から離間する。したがって、コイン支承部材４２はコイン転動通路７から退避し収納凹部２７内に収納されるので、コイン選別装置４内に詰まっていたコイン２８は下方に落下しコイン返却軌道５３に導かれる。このように、コイン返却操作ボタン７２を操作することによって、コイン支承部材４２がコイン転動通路７から退避するので、コイン詰まりを起こしているコイン２８は確実にコイン返却軌道５３に導かれる。
【００４４】
さらに、コイン返却操作ボタン７２を図中左方に移動すると、押圧突起７２ａによってフラッパ３が軸１８（図１（ａ）参照）を回動中心としてねじりコイルばね１９のねじりモーメントに抗して回動するので、ベース板２から離間してコイン転動通路７を開く。したがって、仮に上述したコイン支承部材４２の退避によっても未返却のコインがあったとしてもこれらのコインは確実にコイン返却軌道５３に導かれる。このように、コイン返却操作ボタン７２の移動によって、先にコイン支承部材４２が退避し、次にフラッパ３を開くようにしたことにより、コインが重なり合って詰まる、いわゆるうろこ詰まりが発生していたとしても、先にコイン支承部材４２が退避することによりうろこ詰まりが解消され、そのあとにコインの返却が確実に行われる。
【００４５】
【発明の効果】
以上説明したように、請求項１に係る発明によれば、確実にコインが返却される。
【００４６】
また、請求項２に係る発明によれば、より確実にコインが返却される。
【図面の簡単な説明】
【図１】  図１（ａ）は本発明に係るコイン処理装置の正面図、同図（ｂ）はフラッパを取り除いた状態を示す。
【図２】  本発明に係るコイン処理装置の背面図である。
【図３】  図１（ａ）におけるIII-III 線断面図であって、同図（ａ）はコインを収納している状態を示し、同図（ｂ）はコインを返却している状態を示す。
【図４】  図１（ａ）におけるIV-IV 線断面図であって、同図（ａ）はコインを収納している状態を示し、同図（ｂ）はコインを返却している状態を示す。
【図５】  図１（ａ）におけるV-V 線断面図であって、同図（ａ）はコインを収納している状態を示し、同図（ｂ）はコインを返却している状態を示す。
【図６】  図１（ａ）におけるIII-III 線断面図であって、同図（ａ）は直径の大きい疑似コインを選別している状態を示し、同図（ｂ）は厚みの大きい疑似コインを選別している状態を示す。
【図７】  図１（ａ）におけるVII-VII 線断面図であって、直径の小さい疑似コインを選別している状態を示す。
【図８】  図８（ａ）は本発明に係るコイン処理装置におけるコイン選別装置を模式的に示す正面図、同図（ｂ）は断面図である。
【図９】  本発明に係るコイン処理装置におけるコイン選別装置において、直径の大きい疑似コインを選別している状態を示し、同図（ａ）はコイン選別装置を模式的に示す正面図、同図（ｂ）は断面図である。
【図１０】  本発明に係るコイン処理装置におけるコイン選別装置において、厚みの大きい疑似コインを選別している状態を示し、同図（ａ）はコイン選別装置を模式的に示す正面図、同図（ｂ）は断面図である。
【符号の説明】
１…コイン処理装置、２…ベース板、３…フラッパ、４…コイン選別装置、５…コイン収納装置、６…コイン返却装置、７…コイン転動通路、２３…選別凹部、２４…コイン収納口、２７…収納凹部、２８…コイン、２８Ａ…正規コイン、２８Ｂ１…直径の大きい疑似コイン、２８Ｂ２…厚みの大きい疑似コイン、２８Ｂ３…直径の小さい疑似コイン、４０…コインレール、４１…被駆動部材、４２…コイン支承部材、５３…コイン返却軌道、７０…返却レバー、７０ａ…被係合部、７０ｂ…係合部、７２…コイン返却操作ボタン、７２ａ…押圧突起、７２ｂ…係合突起。
【図１】
0003666360.tif 000002
【図２】
0003666360.tif 000003
【図３】
0003666360.tif 000004
【図４】
0003666360.tif 000005
【図５】
0003666360.tif 000006
【図６】
0003666360.tif 000007
【図７】
0003666360.tif 000008
【図８】
0003666360.tif 000009
【図９】
0003666360.tif 000010
【図１０】
0003666360.tif 000011